(57)【要約】【課題】外光が入射した際、発光していないセグメント表示部の存在を認識し難くし、一部のセグメント表示部を発光させるとき、クリアな識別表示により表示品質の向上を達成することができる表示装置を提供すること。【解決手段】発光ダイオード１３と印刷パネル１５を有し、発光時、発光ダイオード１３からの光を印刷パネル１５のセグメント表示部分150から透光させ、印刷パネル１５のセグメント周囲部分151を遮断することでセグメント発光表示する風量セグメント表示装置１において、前記印刷パネル１５は、セグメント周囲部分151の印刷層として、発光ダイオード１３による非発光時にセグメント表示部分150に外光が入射した状態で見える色調と同等の色調によるグレー色印刷層１５ｂを有する構成とした。【選択図】図３
2008268801.tif 000002
【特許請求の範囲】
【請求項１】
光源と印刷パネルを有し、発光時、光源からの光を印刷パネルのセグメント表示部分から透光させ、印刷パネルのセグメント周囲部分を遮断することでセグメント発光表示する表示装置において、
前記印刷パネルは、セグメント周囲部分の印刷層として、光源による非発光時にセグメント表示部に外光が入射した状態で見える色調と同等の色調による同等色印刷層を有することを特徴とする表示装置。
【請求項２】
請求項１に記載された表示装置において、
前記同等色印刷層は、光源による非発光時におけるセグメント表示部の色調を計測器にて測定し、色調測定結果に基づき同等の色調となる印刷色を決定することを特徴とする表示装置。
【請求項３】
請求項１または請求項２に記載された表示装置において、
前記印刷パネルは、パネル基材と、該パネル基材の光源側裏面のセグメント周囲部分のみに印刷した同等色印刷層と、該同等色印刷層の光源側裏面のセグメント周囲部分のみに積層印刷した黒色印刷層と、を有することを特徴とする表示装置。
【請求項４】
請求項３に記載された表示装置において、
前記印刷パネルは、パネル基材の光源反対側表面の全体に印刷したスモーク色拡散印刷層を有することを特徴とする表示装置。
【請求項５】
請求項１乃至請求項４の何れか１項に記載された表示装置において、
前記光源を、セグメント表示部分を囲む開口部を形成したリフレクトケースの開口部底面位置に設けた発光ダイオードとし、
前記リフレクトケースと前記印刷パネルとの間に拡散シートを設定したことを特徴とする表示装置。
【発明の詳細な説明】
【技術分野】
【０００１】
本発明は、発光時、光源からの光を印刷パネルのセグメント表示部分から透光させ、印刷パネルのセグメント周囲部分を遮断することでセグメント発光表示する表示装置に関する。
【背景技術】
【０００２】
従来、発光時、光源からの光をセグメント表示部分から透光させ、セグメント周囲部分を遮断することでセグメント発光表示する表示装置としては、拡散シート基材と、該拡散シート基材の光源反対側表面のセグメント周囲部分のみに印刷した黒色インク層と、前記拡散シート基材の光源反対側表面全体（セグメント表示部分＋セグメント周囲部分）に黒色インク層に対し重ね印刷した薄黒インク層と、を有する拡散シート部を用いた表示装置が知られている（例えば、特許文献１参照）。
【特許文献１】特開２００６−１１９３５７号公報
【発明の開示】
【発明が解決しようとする課題】
【０００３】
しかしながら、従来の表示装置にあっては、セグメント表示部分の存在を見えにくくするために拡散シート基材の表面側に薄黒インク層を形成するが、外光が入射した際には、拡散シート基材の表面側に形成した黒色インク層の有無により反射光に違いが発生し、セグメント周囲部分は黒く見えるのに対し、セグメント表示部分は白っぽく見えてしまい、非発光時にセグメント表示部の存在を容易に視認することができてしまう、という問題があった。
【０００４】
すなわち、黒色インク層を有するセグメント周囲部分は、黒色インク層が入射した外光のうち大半の光を吸収する光吸収面となり、反射光がほとんど無いことで黒く見える。これに対し、黒色インク層を有さないセグメント表示部分は、薄黒インク層が入射した外光のうち一部を反射する反射面となり、反射光により白っぽく見える。
【０００５】
本発明は、上記問題に着目してなされたもので、外光が入射した際、発光していないセグメント表示部の存在を認識し難くし、一部のセグメント表示部を発光させるとき、クリアな識別表示により表示品質の向上を達成することができる表示装置を提供することを目的とする。
【課題を解決するための手段】
【０００６】
上記目的を達成するため、本発明では、光源と印刷パネルを有し、発光時、光源からの光を印刷パネルのセグメント表示部分から透光させ、印刷パネルのセグメント周囲部分を遮断することでセグメント発光表示する表示装置において、
前記印刷パネルは、セグメント周囲部分の印刷層として、光源による非発光時にセグメント表示部に外光が入射した状態で見える色調と同等の色調による同等色印刷層を有することを特徴とする。
【発明の効果】
【０００７】
よって、本発明の表示装置にあっては、外光が入射した場合、同等色印刷層を有するセグメント周囲部分の反射光による色は、非発光時にセグメント表示部に外光が入射した状態で見える色調と同等となる。
すなわち、セグメント周囲部分をセグメント表示部分と同等の色調とすることで、色調同化作用を示し、発光していないセグメント表示部の存在を認識し難くなる。
したがって、例えば、全てのセグメント表示部分が非発光時の場合、表示部全体を見ても全体が同じ色に見え、どの部分がセグメント表示部分で、どの部分がセグメント周囲部分なのかの識別ができない。
また、例えば、複数のセグメント表示部分のうち一部分が発光で他部分が非発光の場合、非発光のセグメント表示部分がセグメント周囲部分と色調同化するため、発光セグメント表示部分とそれ以外の部分の２つに区分されるクリアな区分表示となる。このように、２つの区分表示により、発光セグメント表示部分と非発光セグメント表示部分とセグメント周囲部分の３つに区分表示される場合に比べ、表示内容の視認性や識別性が高まり、表示品質が向上する。
この結果、外光が入射した際、発光していないセグメント表示部の存在を認識し難くし、一部のセグメント表示部を発光させるとき、クリアな識別表示により表示品質の向上を達成することができる。
【発明を実施するための最良の形態】
【０００８】
以下、本発明の表示装置を実現する最良の形態を、図面に示す実施例１に基づいて説明する。
【実施例１】
【０００９】
まず、構成を説明する。
図１は実施例１の風量セグメント表示装置（表示装置の一例）が適用された集中操作表示ユニットＵを示す斜視図である。
【００１０】
実施例１の風量セグメント表示装置１が適用された集中操作表示ユニットＵは、車両のインストルメントパネルにモニターと共に設けられ、オートエアコンシステムやオーディオシステムやナビゲーションシステムや車載カメラシステム等を集中して操作するスイッチや表示部を備えたユニットである。そして、実施例１の風量セグメント表示装置１は、集中操作表示ユニットＵのオートエアコンシステムの操作表示部に適用されている。
【００１１】
前記オートエアコンシステムの操作表示部は、図１に示すように、集中操作表示ユニットＵの中央部に配置され、風量セグメント表示装置１と、エアコンスイッチ２と、風量調整ダイアル３と、を備えている。風量セグメント表示装置１は、エアコンスイッチ２をオンにしてのエアコン作動時、自動的に決定されたブロワ風量、あるいは、風量調整ダイアル３による手動操作によるブロワ風量の大きさを段階的にセグメント表示する。
【００１２】
図２は実施例１の風量セグメント表示装置１におけるセグメント風量表示状態の一例を示す正面図である。図３は実施例１の風量セグメント表示装置１を示す図２のＡ−Ａ線断面図である。図４は実施例１の風量セグメント表示装置１の印刷パネルを示す断面図である。
【００１３】
実施例１の風量セグメント表示装置１は、図３に示すように、ユニットロアケース１１と、リフレクトケース１２と、発光ダイオード１３（光源）と、拡散シート１４と、印刷パネル１５と、レンズ１６と、を備えている。
【００１４】
この風量セグメント表示装置１は、発光ダイオード１３と印刷パネル１５を有し、発光時、図２に示すように、発光ダイオード１３からの光を印刷パネル１５のセグメント表示部分150から透光させ、印刷パネル１５のセグメント周囲部分151を遮断することでセグメント発光表示する。
【００１５】
前記セグメント表示部分150は、印刷パネル１５の透光構成による部分であり、図２に示すように、ファン形状をセグメント表示するファン表示部分150aと、ファン風量を風量大であるほど長くした７個の棒グラフ形式にてセグメント表示する風量表示部分150bにより構成される。
【００１６】
前記セグメント周囲部分151は、印刷パネル１５の遮光構成による部分であり、図２に示すように、全体表示面からファン表示部分150aと風量表示部分150bを除いた領域により構成される。なお、実施例１では、図２に示すように、ファン風量の調節の指針となる常時表示によるマークを、セグメント周囲部分151の領域内に白色部分印刷層１５ｅにより設定している。
【００１７】
前記発光ダイオード１３は、発光原理としてエレクトロルミネセンス（ＥＬ）効果を利用し、順方向に電圧を加えた際に発光する半導体素子であり、ＬＥＤ（Light Emitting Diode）とも呼ばれる。
この発光ダイオード１３は、図３に示すように、セグメント表示部分150を構成するファン表示部分150a及び各風量表示部分150bを囲む複数の開口部１２ａを形成したリフレクトケース１２の開口部底面位置（ユニットロアケース１１の内面位置）にそれぞれ設けている。
【００１８】
前記拡散シート１４は、図３に示すように、リフレクトケース１２と印刷パネル１５との間に挟持して設定している。この拡散シート１４は、セグメント表示のバックライトである発光ダイオード１３からの光の輝度やカラーをコントロールし、各セグメント表示を均一な明るさに調節する機能を持ったシートである。
【００１９】
前記レンズ１６は、図３に示すように、印刷パネル１５の上面に設定している。このレンズ１６は、印刷パネル１５を保護すると共に、各セグメント表示の大きさを実寸より拡大させる機能を持っている。
【００２０】
前記印刷パネル１５は、図４に示すように、パネル基材１５ａと、グレー色印刷層１５ｂ（同等色印刷層）と、黒色印刷層１５ｃと、スモーク色拡散印刷層１５ｄと、白色部分印刷層１５ｅと、を有して構成されている。
【００２１】
前記パネル基材１５ａは、透明のポリカーボネート樹脂材（ＰＣ材）により構成されている。
【００２２】
前記グレー色印刷層１５ｂは、パネル基材１５ａの光源側裏面のセグメント周囲部分151のみに印刷されている。すなわち、セグメント表示部分150を除いて印刷される。
このグレー色印刷層１５ｂの色調は、発光ダイオード１３による非発光時にセグメント表示部分150に外光が入射した状態で見える色調と同等とされる。具体的には、発光ダイオード１３による非発光時におけるセグメント表示部分150の色調を色差計等の計測器にて測定し、色調測定結果に基づき同等の色調となる印刷色（実施例１の場合はグレー色）を決定する。
【００２３】
前記黒色印刷層１５ｃは、グレー色印刷層１５ｂの光源側裏面のセグメント周囲部分151のみに積層印刷されている。すなわち、グレー色印刷層１５ｂと同様に、セグメント表示部分150を除いて印刷される。この黒色印刷層１５ｃは、発光ダイオード１３が発光した際、セグメント周囲部分151に漏光せず、セグメント表示部分150のみを透光させるために設定される。
【００２４】
前記スモーク色拡散印刷層１５ｄは、パネル基材１５ａの光源反対側表面の全体に印刷される。このスモーク色拡散印刷層１５ｄは、発光ダイオード１３が発光した際、セグメント表示部分150とセグメント周囲部分151との輪郭をクリアにするために設定される。
【００２５】
前記白色部分印刷層１５ｅは、スモーク色拡散印刷層１５ｄの上面に部分的に印刷される。この白色部分印刷層１５ｅは、発光ダイオード１３の発光／非発光にかかわらず、ファン風量の調節指針となるマーク（例えば、ファンマーク、風量増のダイアル回転方向マーク「＋」、風量減のダイアル回転方向マークを「−」等）を常時表示するために設定される。
【００２６】
次に、作用を説明する。
図５は従来例の風量セグメント表示装置を示す図２のＡ−Ａ線断面図である。図６は従来例の風量セグメント表示装置の印刷パネルを示す断面図である。図７は従来例の風量セグメント表示装置におけるセグメント非表示状態を示す正面図である。
【００２７】
ここで、作用説明に入る前に背景技術並びに本発明に至る経緯について説明する。
現在、風量セグメント表示装置としては、図５に示すように、ユニットロアケースと、リフレクトケースと、発光ダイオード（ＬＥＤ）と、印刷パネルと、レンズと、を備えたものが採用されている。
【００２８】
そして、前記印刷パネルは、図６に示すように、透明のＰＣ材と、該ＰＣ材の光源反対側表面のセグメント周囲部分のみに印刷した黒色印刷層と、前記ＰＣ材の光源反対側表面全体（セグメント表示部分＋セグメント周囲部分）に黒色印刷層に対し重ね印刷したスモーク色の拡散印刷層と、を有して構成されている。
【００２９】
このように、従来の風量セグメント表示装置は、セグメント表示部分の存在を見えにくくするためにＰＣ材の裏面側にスモーク色の拡散印刷層を形成している。しかし、外光が入射した際には、ＰＣ材の裏面側に形成した黒色印刷層の有無により反射光に違いが発生し、セグメント周囲部分は黒く見えるのに対し、セグメント表示部分は白っぽく見えてしまい、非発光時にセグメント表示部の存在を容易に視認することができてしまう。
【００３０】
すなわち、黒色印刷層を有するセグメント周囲部分は、黒色印刷層が入射した外光のうち大半の光を吸収する光吸収面となり、反射光がほとんど無いことで黒く見える。これに対し、黒色印刷層を有さないセグメント表示部分は、スモーク色の拡散印刷層が入射した外光のうち一部を反射する反射面となり、反射光により白っぽく見える。
【００３１】
例えば、全てのセグメント表示部分が非発光時の場合、表示部全体を見ると、図７に示すように、グレー色に見えるセグメント表示部分と、黒色に見えるセグメント周囲部分とが容易に識別できる。
また、例えば、複数のセグメント表示部分のうち一部分が発光で他部分が非発光の場合、ＬＥＤ発光により明るい発光セグメント表示部分と、グレー色に見える非発光セグメント表示部分と、黒色に見えるセグメント周囲部分の３つに区分表示される。
【００３２】
これに対し、常識的な手法にしたがえば、背景となるセグメント周囲部分に対しセグメント表示部分が目立つため、セグメント表示部分の色調を、セグメント周囲部分の色調に合わせることで、セグメント表示部分を背景と同化させ、セグメント表示部分の存在を認識し難いようにすることになる。
【００３３】
しかしこの場合、セグメント表示部分の色調を背景の色である黒色に近づける必要があるため、色調の同一性を高めてセグメント表示部分を黒色とすると、ＬＥＤ発光によるセグメント表示の際にセグメント表示部分の照度や輝度が大幅に低下する。そこで、妥協的に黒っぽい灰色にすると、背景に対する同化性が劣るし、セグメント表示部分の照度や輝度の低下も回避できない。すなわち、セグメント表示部分の同化表示と、セグメント表示品質の確保と、の両立を達成できない。
【００３４】
本発明者は、セグメント表示部分を目立たなくしたいという要求に対し、セグメント表示部分の色調をセグメント周囲部分の色調に合わせるという発想では本質的機能である表示品質を損なう点に着目し、セグメント周囲部分の色調をセグメント表示部分の色調に合わせるという発想の転換による構成を採用した。この構成により、表示品質を損なうことなく、セグメント表示部分を目立たなくしたいという要求に応えることができる。
【００３５】
図８は実施例１の風量セグメント表示装置１におけるセグメント非表示状態を示す正面図である。
以下、実施例１の風量セグメント表示装置１における作用を、「全て非発光時のセグメント表示作用」と「一部発光時のセグメント表示作用」に分けて説明する。
【００３６】
［全て非発光時のセグメント表示作用］
実施例１の風量セグメント表示装置１にあっては、外光が入射した場合、グレー色印刷層１５ｂを有するセグメント周囲部分151では、入射した外光の一部が反射し、反射光により目で認識される色は、非発光時にセグメント表示部分150に外光が入射した状態で見える色調と同等となる。
すなわち、グレー色印刷層１５ｂの色調を、発光ダイオード１３による非発光時にセグメント表示部分150に外光が入射した状態で見える色調と同等とし、外観上、セグメント周囲部分151をセグメント表示部分150と同等の色調とすることで、色調同化作用を示し、発光していないセグメント表示部分150の存在を認識し難くなる。
【００３７】
したがって、例えば、全てのセグメント表示部分150が非発光時の場合、図８に示すように、表示部全体を見ても全体が同じ色（グレー色）に見え、どの部分がセグメント表示部分150で、どの部分がセグメント周囲部分151なのかの識別できない。
【００３８】
［一部発光時のセグメント表示作用］
例えば、オートエアコン作動時であり、複数のセグメント表示部分150のうち一部分が発光で他部分が非発光の場合、図２に示すように、非発光の右端部の２つの風量表示部分150bがセグメント周囲部分151と色調同化するため、発光しているファン表示部分150a及び５つの風量表示部分150bと、それ以外の部分（セグメント周囲部分151と図２右端部の風量表示部分150b）の２つに区分されるクリアな区分表示となる。
【００３９】
このように、２つの区分表示により、従来技術のように、発光セグメント表示部分と非発光セグメント表示部分（グレー色）とセグメント周囲部分（黒色）の３つに区分表示される場合に比べ、表示内容の視認性や識別性が高まり、表示品質が向上する。
【００４０】
複数のセグメント表示部分150のうち一部分が発光で他部分が非発光の場合、実施例１では、グレー色印刷層１５ｂの光源側裏面のセグメント周囲部分151のみに黒色印刷層１５ｃを積層印刷している。このため、発光ダイオード１３が発光した際、黒色印刷層１５ｃの設定によりセグメント周囲部分151に漏光せず、セグメント表示部分150のみを透光させる作用を示し、明度差が大きくクリアに浮かび上がる発光セグメント表示を行うことができる。
例えば、印刷パネルにグレー色印刷層のみを設定した場合、発光ダイオードが発光した際、グレー色印刷層を介してセグメント周囲部分に一部漏光が発生し、漏光分だけセグメント表示部分とセグメント周囲部分の明度差が小さくなる。
【００４１】
複数のセグメント表示部分150のうち一部分が発光で他部分が非発光の場合、実施例１では、パネル基材１５ａの光源反対側表面の全体にスモーク色拡散印刷層１５ｄを印刷している。このため、発光ダイオード１３が発光した際、スモーク色拡散印刷層１５ｄの設定により、発光しているセグメント表示部分の輝度が均一となるように調整され、セグメント表示部分150とセグメント周囲部分151との輪郭をクリアにすることができる。
例えば、印刷パネルにスモーク色拡散印刷層を設定しない場合、外部からの入射光に対する明度のコントロール性が低くなり、発光しているセグメント表示部分の輝度が不均一となり、セグメント表示部分とセグメント周囲部分との輪郭がぼけてしまう。
【００４２】
次に、効果を説明する。
実施例１の風量セグメント表示装置１にあっては、下記に列挙する効果を得ることができる。
【００４３】
(1) 発光ダイオード１３と印刷パネル１５を有し、発光時、発光ダイオード１３からの光を印刷パネル１５のセグメント表示部分150から透光させ、印刷パネル１５のセグメント周囲部分151を遮断することでセグメント発光表示する風量セグメント表示装置１において、前記印刷パネル１５は、セグメント周囲部分151の印刷層として、発光ダイオード１３による非発光時にセグメント表示部分150に外光が入射した状態で見える色調と同等の色調によるグレー色印刷層１５ｂを有するため、外光が入射した際、発光していないセグメント表示部分150の存在を認識し難くし、一部のセグメント表示部分150を発光させるとき、クリアな識別表示により表示品質の向上を達成することができる。
【００４４】
(2) 前記グレー色印刷層１５ｂは、発光ダイオード１３による非発光時におけるセグメント表示部分150の色調を計測器にて測定し、色調測定結果に基づき同等の色調となる印刷色を決定するため、高レベルの色調同化により、発光していないセグメント表示部分150の存在を認識し難くすることができる。
【００４５】
(3) 前記印刷パネル１５は、パネル基材１５ａと、該パネル基材１５ａの光源側裏面のセグメント周囲部分151のみに印刷したグレー色印刷層１５ｂと、該グレー色印刷層１５ｂの光源側裏面のセグメント周囲部分151のみに積層印刷した黒色印刷層１５ｃと、を有するため、セグメント周囲部分151に漏光せず、セグメント表示部分150とセグメント周囲部分151の明度差が大きくし、クリアに浮かび上がる発光セグメント表示を行うことができる。
【００４６】
(4) 前記印刷パネル１５は、パネル基材１５ａの光源反対側表面の全体に印刷したスモーク色拡散印刷層１５ｄを有するため、発光しているセグメント表示部分の輝度が均一となるように調整され、セグメント表示部分150とセグメント周囲部分151との輪郭をクリアにすることができる。
【００４７】
(5) 前記光源を、セグメント表示部分150を囲む開口部１２ａを形成したリフレクトケース１２の開口部底面位置に設けた発光ダイオード１３とし、前記リフレクトケース１２と前記印刷パネル１５との間に拡散シート１４を設定したため、セグメント表示のバックライトである発光ダイオード１３からの光の輝度やカラーをコントロールし、各セグメント表示を均一な明るさに調節することができる。
【００４８】
以上、本発明の表示装置を実施例１に基づき説明してきたが、具体的な構成については、この実施例１に限られるものではなく、特許請求の範囲の各請求項に係る発明の要旨を逸脱しない限り、設計の変更や追加等は許容される。
【００４９】
実施例１では、光源として発光ダイオードを用いる例を示したが、発光ダイオード以外にもレーザーダイオード等、セグメント表示の光源として用いることができるものであれば、他の光源としても良い。
【００５０】
実施例１では、同等色印刷層としてグレー色印刷層を用いる例を示したが、光源による非発光時にセグメント表示部に外光が入射した状態で見える色調であれば、グレー色以外の色による印刷層であっても良い。
【００５１】
実施例１では、印刷パネルに黒色印刷層とスモーク色拡散印刷層を有し、リフレクトケースと印刷パネルとの間に拡散シートを設定した好ましい例を示したが、これらの構成要素（黒色印刷層、スモーク色拡散印刷層、拡散シート）は、必須の構成要素ではなく、一部または全部を省略したもの、これらに代わる構成要素としたもの、これら以外に構成要素を追加したものであっても本発明に含まれる。
【００５２】
要するに、印刷パネルは、セグメント周囲部分の印刷層として、光源による非発光時にセグメント表示部に外光が入射した状態で見える色調と同等の色調による同等色印刷層を有するものであれば、実施例１には限られることはない。
【産業上の利用可能性】
【００５３】
実施例１では、集中操作表示ユニットの風量セグメント表示装置に対し本発明の表示装置を適用する例を示したが、数字や文字や図形等をセグメント表示する様々な表示装置に対しても適用することができる。要するに、光源と印刷パネルを有し、発光時、光源からの光を印刷パネルのセグメント表示部分から透光させ、印刷パネルのセグメント周囲部分を遮断することでセグメント発光表示する表示装置であれば適用できる。
【図面の簡単な説明】
【００５４】
【図１】実施例１の風量セグメント表示装置（表示装置の一例）が適用された集中操作表示ユニットＵを示す斜視図である。
【図２】実施例１の風量セグメント表示装置１におけるセグメント風量表示状態の一例を示す正面図である。
【図３】実施例１の風量セグメント表示装置１を示す図２のＡ−Ａ線断面図である。
【図４】実施例１の風量セグメント表示装置１の印刷パネルを示す断面図である。
【図５】従来例の風量セグメント表示装置を示す図２のＡ−Ａ線断面図である。
【図６】従来例の風量セグメント表示装置の印刷パネルを示す断面図である。
【図７】従来例の風量セグメント表示装置におけるセグメント非表示状態を示す正面図である。
【図８】実施例１の風量セグメント表示装置１におけるセグメント非表示状態を示す正面図である。
【符号の説明】
【００５５】
Ｕ  集中操作表示ユニット
１  風量セグメント表示装置（表示装置の一例）
２  エアコンスイッチ
３  風量調整ダイアル
１１  ユニットロアケース
１２  リフレクトケース
１３  発光ダイオード（光源）
１４  拡散シート
１５  印刷パネル
150  セグメント表示部分
151  セグメント周囲部分
１５ａ  パネル基材
１５ｂ  グレー色印刷層（同等色印刷層）
１５ｃ  黒色印刷層
１５ｄ  スモーク色拡散印刷層
１５ｅ  白色部分印刷層
１６  レンズ
【図１】
2008268801.tif 000003
【図２】
2008268801.tif 000004
【図３】
2008268801.tif 000005
【図４】
2008268801.tif 000006
【図５】
2008268801.tif 000007
【図６】
2008268801.tif 000008
【図７】
2008268801.tif 000009
【図８】
2008268801.tif 000010